(57)【要約】【課題】リソースを有効に利用して装置規模を大きくすることなく、異なるシステムの無線端末装置に対応することができる無線端末試験装置を提供すること。【解決手段】記憶部１３が複数のシステムの基地局におけるベースバンド処理に対応する複数のプログラムを記憶し、伝播環境パラメータ設定部１１が外部から入力される試験要求事項内の伝播環境データに基づいて伝播環境パラメータを算出し、制御部１２が、試験要求事項内のシステム種別および詳細条件に基づいて、記憶部１３に記憶されている複数のプログラムの中からプログラムを選択するとともに、デバイス１４１〜１４ｎのリソース情報および処理能力に基づいて、プログラムを実行させるデバイス１４１〜１４ｎを選択し、伝播環境パラメータをコンフィギュレーションに用いて選択したプログラムを選択したデバイス１４１〜１４ｎに実行させて基地局を模擬する。【選択図】        図１
2005236832.tif 000002
【特許請求の範囲】
【請求項１】
試験対象となる無線端末装置が適用される複数の異なるシステムに対応した基地局を模擬する無線端末試験装置において、
前記複数の異なるシステムに対応する複数のプログラムを記憶する記憶手段と、
外部から入力される試験要求事項に含まれる伝播環境データに基づいて伝播環境パラメータを算出する伝播環境パラメータ設定手段と、
所定の条件に基づいて前記記憶手段に記憶されているプログラムの中から前記無線端末装置が適用されるシステムに対応したプログラムを選択するプログラム選択手段と、
前記伝播環境パラメータ設定手段によって算出された伝播環境パラメータをコンフィギュレーションデータとして用いて前記プログラム選択手段によって選択されたプログラムを実行することで前記基地局の送受信に関するベースバンド処理を行う複数のデバイスを備えたベースバンド処理手段と、
前記複数のデバイスのリソース情報およびデバイス固有の処理能力に基づいて、プログラムを実行させるデバイスを選択するデバイス選択手段と、
を備えることを特徴とする無線端末試験装置。
【請求項２】
試験対象となる無線端末装置が適用される複数の異なるシステムに対応した基地局を模擬する無線端末試験装置において、
前記複数の異なるシステムに対応する複数のプログラムを記憶する記憶手段と、
実環境において測定された受信データを記憶する実測データ記憶手段と、
この実測データ記憶手段に記憶されている受信データから伝播環境パラメータを抽出する伝播環境パラメータ設定手段と、
所定の条件に基づいて前記記憶部に記憶されているプログラムの中から前記無線端末装置が適用されるシステムに対応したプログラムを選択するプログラム選択手段と、
前記伝播環境パラメータ設定手段によって抽出された伝播環境パラメータをコンフィギュレーションデータとして用いて前記プログラム選択手段によって選択されたプログラムを実行することで前記基地局の送受信に関するベースバンド処理を行う複数のデバイスを備えたベースバンド処理手段と、
前記複数のデバイスのリソース情報およびデバイス固有の処理能力に基づいて、プログラムを実行させるデバイスを選択するデバイス選択手段と、
を備えることを特徴とする無線端末試験装置。
【請求項３】
前記プログラム選択手段は、
前記所定の条件に基づいてフィンガ数およびサーチ処理に必要なマッチドフィルタのフィルタ係数を算出して、これら算出したフィンガ数およびフィルタ係数に基づいてプログラムを選択することを特徴とする請求項１または２に記載の無線端末試験装置。
【請求項４】
前記所定の条件を、伝播環境パラメータ、前記試験要求事項に含まれる前記無線端末装置が適用されるシステムを識別するためのシステム種別、当該システム種別によって指定されたシステムの詳細情報、または前記無線端末装置と自装置が模擬した基地局とを管理する無線ネットワーク制御装置と前記無線端末装置間の制御情報である無線リソース制御情報とすることを特徴とする請求項１〜３の何れか一つに記載の無線端末試験装置。
【請求項５】
前記詳細情報を、セル数、セル半径、およびセクタ数とすることを特徴とする請求項４に記載の無線端末試験装置。
【発明の詳細な説明】
【技術分野】
【０００１】
本発明は、無線端末装置を試験する無線端末試験装置に関するものであり、特に、試験要求事項に基づいて試験用のプログラムを選択して、異なる試験要求事項を有する無線端末装置に対応する無線端末試験装置に関するものである。
【背景技術】
【０００２】
無線通信は、障害物や天候などによって反射、透過、回折などのマルチパスが発生するため、環境によって通信状態が変わる。そのため、無線端末装置の試験では、環境条件を考慮する必要がある。従来から、使用環境条件を模擬して無線端末装置の試験を行う無線端末試験装置に関する種々の技術が考えられている。
【０００３】
特許文献１に記載の従来技術には、無線端末装置で受信された無線信号または予め計算された無線信号の位相と振幅の時間的な変動情報を記憶しておき、記憶している無線信号の位相と振幅の時間的な変動情報に基づいて基地局信号の位相および振幅を制御する無線端末試験装置に関する技術が開示されている。
【０００４】
【特許文献１】特開平１１−１８６９７３号公報
【発明の開示】
【発明が解決しようとする課題】
【０００５】
上記従来技術では、無線端末装置で受信された無線信号または予め計算された無線信号の位相と振幅の時間的な変動情報を記憶しておき、記憶している無線信号の位相と振幅の時間的な変動情報に基づいて基地局信号の位相および振幅を制御するようにしているので、統計的なフェ−ジング環境を模擬するだけでなく、実環境を再現して無線端末装置を試験することができる。
【０００６】
しかしながら、近年の無線における通信方式は、たとえば、Ｗ−ＣＤＭＡ（Wideband-Code Division Multiple Access）方式やＣＤＭＡ２０００方式、無線ＬＡＮ（Local Area Network）など様々である。通信方式が異なれば無線端末装置の試験条件（試験要求事項）も変わる。上記従来技術の無線端末試験装置は、装置全体の規模は試験要求事項とは関係なく固定である。そのため、無線端末装置の試験要求事項が多様化すると、装置規模が大きくなってしまうという問題があった。
【０００７】
この発明は上記に鑑みてなされたもので、リソースを有効に利用して装置規模を大きくすることなく、異なるシステムの無線端末装置に対応することができる無線端末試験装置を得ることを目的としている。
【課題を解決するための手段】
【０００８】
上記目的を達成するため、この発明にかかる無線端末試験装置は、試験対象となる無線端末装置が適用される複数の異なるシステムに対応した基地局を模擬する無線端末試験装置において、前記複数の異なるシステムに対応する複数のプログラムを記憶する記憶手段と、外部から入力される試験要求事項に含まれる伝播環境データに基づいて伝播環境パラメータを算出する伝播環境パラメータ設定手段と、所定の条件に基づいて前記記憶手段に記憶されているプログラムの中から前記無線端末装置が適用されるシステムに対応したプログラムを選択するプログラム選択手段と、前記伝播環境パラメータ設定手段によって算出された伝播環境パラメータをコンフィギュレーションデータとして用いて前記プログラム選択手段によって選択されたプログラムを実行することで前記基地局の送受信に関するベースバンド処理を行う複数のデバイスを備えたベースバンド処理手段と、前記複数のデバイスのリソース情報およびデバイス固有の処理能力に基づいて、プログラムを実行させるデバイスを選択するデバイス選択手段と、を備えることを特徴とする。
【０００９】
この発明によれば、試験対象となる無線端末装置が適用される複数の異なるシステムに対応する複数のプログラムを記憶しておき、所定の条件に基づいて、記憶しているプログラムの中から無線端末装置が適用されるシステムに対応するプログラムを選択するとともに、プログラムを実行する複数のデバイスのリソース情報およびデバイス固有の処理能力に基づいて、選択したプログラムを実行させるデバイスを選択するようにしている。
【発明の効果】
【００１０】
この発明にかかる無線端末試験装置によれば、試験対象となる無線端末装置が適用される複数の異なるシステムに対応する複数のプログラムを記憶しておき、所定の条件に基づいて、記憶しているプログラムの中から無線端末装置が適用されるシステムに対応するプログラムを選択するとともに、プログラムを実行する複数のデバイスのリソース情報およびデバイス固有の処理能力に基づいて、選択したプログラムを実行させるデバイスを選択するようにしているので、リソースを有効に利用して装置規模を大きくすることなく、異なるシステムの無線端末装置の仕様に対応して試験を行うことができる。
【発明を実施するための最良の形態】
【００１１】
以下に、この発明にかかる無線端末装置の実施の形態を図面に基づいて詳細に説明する。なお、この実施の形態によりこの発明が限定されるものではない。
【００１２】
実施の形態１．
図１および図２を用いてこの発明の実施の形態１を説明する。図１は、この発明における実施の形態１の無線端末試験装置の構成を示すブロック図である。この発明における実施の形態１の無線端末試験装置１は、外部から入力される試験要求事項に基づいて基地局を模擬する。試験要求事項には、試験対象となる無線端末装置２の試験条件を示すものであり、システム種別（Ｗ−ＣＤＭＡ方式やＣＤＭＡ２０００方式、無線ＬＡＮなどの通信方式、すなわち無線端末装置２が適用される通信システムを識別する情報）、詳細情報（たとえば、システム種別がＷ−ＣＤＭＡ方式やＣＤＭＡ２０００などのＣＤＭＡ方式の場合には、セル数、セル半径、セクタ数などの情報）、伝播環境データ（無線端末装置２の移動速度、移動方向、基地局周辺の地図情報、散乱体などの位置情報など電波伝播環境に関する情報）などが含まれている。
【００１３】
無線端末試験装置１は、伝播環境パラメータ設定部１１と、制御部１２（特許請求の範囲でいうところのプログラム選択手段とデバイス選択手段）と、記憶部１３と、ベースバンド処理部１４とを備えている。伝播環境パラメータ設定部１１は、試験要求事項内に含まれる伝播環境データに基づいてフェ−ジング、マルチパス環境に関する伝播環境パラメータを算出する。伝播環境パラメータ設定部１１は、外部から指定されるモードによって、算出した伝播環境パラメータを全て制御部１２に出力するのか、算出した伝播環境パラメータの値が予め定められた閾値よりも大きい伝播環境パラメータだけを制御部１２に出力するのかを決定する。外部からのモード指定は、たとえば、試験要求事項にモード指定の情報を含めるなどして、任意に設定できるようにすればよい。
【００１４】
ベースバンド処理部１４は、ソフトウエア無線で実現され、ＤＳＰ（Digital Signal Processor）やプログラムによって所定の機能を実現するＦＰＧＡ（Field Programmable Gate Array）などのハードウエアであるｎ（ｎは自然数）個のデバイス１４１〜１４ｎを備えており、記憶部１３に記憶されている試験プログラムを実行して、無線端末装置２とのアップリンクおよびダウンリンクにおけるベースバンド処理を行う。また、ベースバンド処理部１４は、デバイス１４１〜１４ｎによってベースバンド処理を行うとともに、デバイス１４１〜１４ｎのリソース占有率および処理状況などを含むリソース情報を記憶部１３に記憶させる。
【００１５】
記憶部１３は、ベースバンド処理部１４によって実行される複数のプログラム、すなわち無線端末装置２が適用されるシステムやそのシステムの詳細な条件に対応する複数のプログラムを記憶する。また、記憶部１３は、デバイス１４１〜１４ｎのそれぞれのデバイス固有の処理能力情報と、デバイス１４１〜１４ｎのリソース情報を記憶する。
【００１６】
制御部１２は、試験要求事項に含まれているシステム種別や詳細情報に基づいて、記憶部１３に記憶されている複数のプログラムの中から無線端末装置２の試験に必要な１〜複数のプログラムを選択する。また、制御部１２は、記憶部１３に記憶されているベースバンド処理部１４のデバイス１４１〜１４ｎの処理能力などを示すリソース情報、およびデバイス１４１〜１４ｎの処理状況示すデバイス情報に基づいて、使用するデバイス１４１〜１４ｎを決定する。制御部１２は、選択したプログラムを選択したデバイス１４１〜１４ｎに実行させて基地局を模擬する。
【００１７】
つぎに、図２のフローチャートを参照して、この発明における実施の形態１の無線端末試験装置１のプログラム選択動作を説明する。試験要求事項が入力されると制御部１２は、試験要求事項に含まれている伝播環境データを伝播環境パラメータ設定部１１に出力する。
【００１８】
伝播環境パラメータ設定部１１は、伝播環境データに基づいてフェ−ジングやマルチパス環境に関する環境パラメータを算出する（ステップＳ１００）。具体的には、伝播環境パラメータ設定部１１は、無線端末装置２の移動速度、移動方向、基地局周辺の地図情報、散乱体などの位置情報などの電波伝播環境に関する伝播環境データを用いて、レイトレーシング法などによって基地局における遅延プロファイル、各マルチパスの電界強度、パス遅延などの環境パラメータを算出する。
【００１９】
伝播環境パラメータ設定部１１は、算出した伝播環境パラメータの値が閾値よりも大きいものだけを出力する選択モードであるか否かを判定する（ステップＳ１１０）。選択モードの場合、伝播環境パラメータ設定部１１は、算出した伝播環境パラメータの値と閾値とを比較する。伝播環境パラメータ設定部１１は、比較の結果、閾値よりも大きい伝播環境パラメータを制御部１２に出力する（ステップＳ１２０）。選択モードではない場合、伝播環境パラメータ設定部１１は、算出した伝播環境パラメータを全て制御部１２に出力する（ステップＳ１３０）。
【００２０】
制御部１２は、伝播環境パラメータ設定部１１から入力された環境パラメータを無線コンフィギュレーションデータとしてベースバンド処理部１４に出力する（ステップＳ１４０）。
【００２１】
制御部１２は、システム種別または詳細情報に基づいて無線端末装置２の試験に必要な１〜複数のプログラムを選択する（ステップＳ１５０）。具体的には、たとえば、システム種別および詳細情報に対応させてフィンガ数とサーチャの有するマッチドフィルタのフィルタ係数とを登録した第１のテーブルと、フィンガ数とサーチャの有するマッチドフィルタとに対応させてプログラム名を登録した第２のテーブルとを予め準備しておき、システム情報または詳細情報を検索キーとして第１のテーブルを検索して、システム情報または詳細情報に対応するフィンガ数およびフィルタ係数を取得する。制御部１２は、第１のテーブルを検索して取得したフィンガ数およびフィルタ係数を検索キーとして第２のテーブルを検索して、フィンガ数およびフィルタ係数に対応したプログラム名を取得する。
【００２２】
たとえば、制御部１２は、システム種別が３ＧＰＰに規定されるＷ−ＣＤＭＡであることを識別すると、詳細情報として入力されたセル数とセル半径とセクタ数とを検索キーとして第１のテーブルを検索して、フィンガ数およびフィルタ係数を取得する。そして、取得したフィンガ数およびフィルタ係数を検索キーとして第２のテーブルを検索して、フィンガ数およびフィルタ係数に対応したプログラム名を取得する。
【００２３】
制御部１２は、記憶部１３に記憶されているデバイス１４１〜１４ｎのそれぞれの処理能力情報およびリソース情報に基づいて、デバイス１４１〜１４ｎの中から使用するデバイスを選択する（ステップＳ１６０）。
【００２４】
制御部１２は、選択したデバイス１４１〜１４ｎに選択したプログラムを記憶部１３からダウンロードして、コンフィギュレーションを実行する（ステップＳ１７０）。
【００２５】
このようにこの実施の形態１では、外部から入力される試験要求事項に含まれるシステム種別および詳細情報に基づいて、試験対象となる無線端末装置が適用される複数の異なるシステムや条件に対応する複数のプログラムの中から、無線端末装置の試験に必要な最低限のプログラムを選択するとともに、リソース情報およびデバイス固有の処理能力に基づいて、選択したプログラムを実行させるデバイスを選択するようにしているので、リソースを有効に利用して装置規模を大きくすることなく、異なるシステムの無線端末装置の仕様に対応して試験を行うことができる。
【００２６】
また、この実施の形態１では、セル数、セル半径、およびセクタ数に基づいてプログラムを選択するようにしているため、セルのコンフィギュレーションに柔軟に対応することができる。
【００２７】
なお、この実施の形態１では、システム種別がＷ−ＣＤＭＡの場合を例に挙げて説明したが、システム種別に対応して複数のテーブルを準備しておき、システム種別を認識して、たとえば、ＣＤＭＡ２０００や無線ＬＡＮなど無線端末装置２が適用されるシステムに対応したプログラムを選択することができる。
【００２８】
また、この実施の形態１では、テーブルによる検索を例に挙げて説明したが、プログラムの選択方法はこれに限るものではない。たとえば、システム種別がＷ−ＣＤＭＡの場合、セル数およびセクタ数によって実装されるべきサーチャの数やデバイス１４１〜１４ｎに実装可能なフィンガ数の最大値によって各セルおよび各セクタに対応するフィンガ数が決定する。すなわち、考慮するセル数およびセクタ数が増加するほど１つのセルやセクタに対応するフィンガ数は少なくなり、考慮するセル数およびセクタ数が減少するほど１つのセルやセクタに対応するフィンガ数は多くなる。また、サーチャの有するマッチドフィルタのフィルタ係数の数はセル半径によって決定するが、セル半径の違いにより実装する際の回路規模などのリソースが大きく変化する。このようなセル数、セクタ数、およびセル半径の関係と、フィンガ数およびサーチ部実装の関係を示す式によって、フィンガ数およびフィルタ係数を算出するようにしてもよい。
【００２９】
実施の形態２．
図３および図４を用いてこの発明の実施の形態２を説明する。実施の形態１では、伝播環境データに基づいて算出した伝播環境パラメータを無線コンフィギュレーションデータに用いた。この実施の形態２では、実測した受信データから抽出した伝播環境パラメータを無線コンフィギュレーションデータおよびプログラムを選択するパラメータとして用いるものである。
【００３０】
図３は、この発明における実施の形態２の無線端末試験装置１ａの構成を示すブロック図である。この発明における実施の形態２の無線端末試験装置１ａは、図１に示した実施の形態１の無線端末試験装置１の制御部１２の代わりに制御部１２ａを、伝播環境パラメータ設定部１１の代わりに伝播環境パラメータ設定部１１ａを備えるとともに、実測データ記憶部１５が追加されている。図１に示した実施の形態１の無線端末試験装置１と同じ機能を持つ構成部分には同一符号を付し、重複する説明は省略する。
【００３１】
実測データ記憶部１５には、汎用のエリアアナライザなどで測定された１〜複数の観測地点における実環境の受信データが記憶される。
【００３２】
伝播環境パラメータ設定部１１ａは、実測データ記憶部１５に記憶されている実環境の受信データから伝播環境パラメータを抽出する。また、伝播環境パラメータ設定部１１ａは、外部から指定されるモードによって、実測データ記憶部１５に記憶されている実環境の伝播環境パラメータを全て制御部１２ａに出力するのか、伝播環境パラメータの値が予め定められた閾値よりも大きい伝播環境パラメータだけを制御部１２ａに出力するのかを決定する。
【００３３】
制御部１２ａは、伝播環境パラメータに基づいて、記憶部１３に記憶されている複数のプログラムの中から無線端末装置２の試験に必要な１〜複数のプログラムを選択する。また、制御部１２ａは、記憶部１３に記憶されているベースバンド処理部１４のデバイス１４１〜１４ｎの処理能力などを示すリソース情報、およびデバイス１４１〜１４ｎの処理状況示すデバイス情報に基づいて、使用するデバイス１４１〜１４ｎを決定する。制御部１２ａは、選択したプログラムを選択したデバイス１４１〜１４ｎに実行させて基地局を模擬する。
【００３４】
つぎに、図４のフローチャートを参照して、この発明における実施の形態２の無線端末試験装置１ａのプログラム選択動作を説明する。試験要求事項が入力されると制御部１２ａは、伝播環境パラメータを伝播環境パラメータ設定部１１ａに要求する。
【００３５】
伝播環境パラメータの要求を受けると、伝播環境パラメータ設定部１１ａは、実測データ記憶部１５に記憶されている実環境の受信データを読み出して、伝播環境パラメータを読み出す（ステップＳ２００）。
【００３６】
選択モードの場合、伝播環境パラメータ設定部１１ａは、読み出した伝播環境パラメータの値が閾値よりも大きい伝播環境パラメータを制御部１２ａに出力する（ステップＳ２１０，Ｓ２２０）。選択モードではない場合、伝播環境パラメータ設定部１１ａは、読み出した伝播環境パラメータを全て制御部１２ａに出力する（ステップＳ２１０，Ｓ２３０）。
【００３７】
制御部１２ａは、伝播環境パラメータ設定部１１ａから入力された環境パラメータを無線コンフィギュレーションデータとしてベースバンド処理部１４に出力する（ステップＳ２４０）。
【００３８】
制御部１２ａは、伝播環境パラメータに基づいて無線端末装置２の試験に必要な１〜複数のプログラムを選択する（ステップＳ２５０）。具体的には、制御部１２ａは、伝播環境パラメータに基づいて必要なフィンガ数やサーチ部におけるフィルタ係数を算出する。算出したフィンガ数およびフィルタ係数を検索キーとして、予め準備されているフィンガ数およびフィルタ係数に対応したプログラム名が登録されているテーブルを検索して、算出したフィンガ数およびフィルタ係数に対応したプログラム名を取得する。
【００３９】
制御部１２ａは、記憶部１３に記憶されているデバイス１４１〜１４ｎのそれぞれの処理能力情報およびリソース情報に基づいて、デバイス１４１〜１４ｎの中から使用するデバイスを選択する（ステップＳ２６０）。
【００４０】
制御部１２ａは、選択したデバイス１４１〜１４ｎに選択したプログラム名のプログラムを記憶部１３からダウンロードして、コンフィギュレーションを実行する（ステップＳ２７０）。
【００４１】
このようにこの実施の形態２では、実測した受信データから抽出された伝播環境パラメータに基づいて、試験対象となる無線端末装置が適用される複数の異なるシステムやそのシステムの詳細な条件に対応する複数のプログラムの中から、無線端末装置の試験に必要な最低限のプログラムを選択するとともに、リソース情報およびデバイス固有の処理能力に基づいて、選択したプログラムを実行させるデバイスを選択するようにしているので、リソースを有効に利用して装置規模を大きくすることなく、異なるシステムの無線端末装置の仕様に対応して試験を行うことができる。
【００４２】
また、この実施の形態２では、実測した受信データから抽出された伝播環境パラメータを無線コンフィギュレーションとして用いて、実環境を再現するようにしているので、試験要求事項の指定によって、同一試験環境で様々な試験を行うことができる。
【００４３】
実施の形態３．
図５および図６を用いてこの発明の実施の形態３を説明する。この実施の形態３では、無線端末試験装置を介して無線端末装置２と無線ネットワーク制御装置（ＲＮＣ：Radio Network Controller）とが通信を行うときの無線リソース制御情報（ＲＲＣ：Radio Resource Control）内に、無線端末装置２が有するべき能力を示す情報（無線端末性能情報）が含まれていることに着目して、この情報に基づいてプログラムを選択するものである。
【００４４】
図５は、この発明における無線端末試験装置１ｂの構成を示すブロック図である。この発明における無線端末試験装置１ｂは、図１に示した実施の形態１の無線端末試験装置１の制御部１２の代わりに制御部１２ｂを備えている。図１に示した実施の形態１の無線端末試験装置１と同じ機能を持つ構成部分には同一符号を付し、重複する説明は省略する。
【００４５】
制御部１２ｂは、無線端末装置２と無線ネットワーク制御装置３との通信の無線リソース制御情報を参照して、無線リソース制御情報に含まれている無線端末性能情報に基づいて、記憶部１３に記憶されている複数のプログラムの中から無線端末装置２の試験に必要な１〜複数のプログラムを選択する。また、制御部１２ｂは、記憶部１３に記憶されているベースバンド処理部１４のデバイス１４１〜１４ｎの処理能力などを示すリソース情報、およびデバイス１４１〜１４ｎの処理状況示すデバイス情報に基づいて、使用するデバイス１４１〜１４ｎを決定する。制御部１２ｂは、選択したプログラムを選択したデバイス１４１〜１４ｎに実行させて基地局を模擬する。
【００４６】
つぎに、図６のフローチャートを参照して、この発明における実施の形態３の無線端末試験装置１ｂのプログラム選択動作を説明する。試験要求事項が入力されると制御部１２ｂは、試験要求事項に含まれている伝播環境データを伝播環境パラメータ設定部１１に出力する。
【００４７】
伝播環境パラメータ設定部１１は、伝播環境データに基づいてフェ−ジングやマルチパス環境に関する環境パラメータを算出する（ステップＳ３００）。選択モードの場合、伝播環境パラメータ設定部１１は、読み出した伝播環境パラメータの値が閾値よりも大きい伝播環境パラメータを制御部１２ｂに出力する（ステップＳ３１０，Ｓ３２０）。選択モードではない場合、伝播環境パラメータ設定部１１は、読み出した伝播環境パラメータを全て制御部１２ｂに出力する（ステップＳ３１０，Ｓ３３０）。
【００４８】
制御部１２ｂは、伝播環境パラメータ設定部１１から入力された環境パラメータを無線コンフィギュレーションデータとしてベースバンド処理部１４に出力する（ステップＳ３４０）。
【００４９】
制御部１２ｂは、無線端末装置２と無線ネットワーク制御装置３との通信の中の無線リソース制御情報を参照して無線端末性能情報を取得し、取得した無線端末性能情報に基づいて無線端末装置２の試験に必要な１〜複数のプログラムを選択する（ステップＳ３５０）。具体的には、制御部１２ｂは、取得した無線端末性能情報を検索キーとして、予め準備されている無線端末性能情報に対応したプログラム名が登録されているテーブルを検索して、取得した無線端末性能情報に対応したプログラム名を取得する。
【００５０】
制御部１２ｂは、記憶部１３に記憶されているデバイス１４１〜１４ｎのそれぞれの処理能力情報およびリソース情報に基づいて、デバイス１４１〜１４ｎの中から使用するデバイスを選択する（ステップＳ３６０）。
【００５１】
制御部１２ｂは、選択したデバイス１４１〜１４ｎに選択したプログラム名のプログラムを記憶部１３からダウンロードして、コンフィギュレーションを実行する（ステップＳ３７０）。
【００５２】
このようにこの実施の形態３では、無線リソース制御情報に含まれる無線端末装置が有するべき能力を示す情報に基づいて、試験対象となる無線端末装置が適用される複数の異なるシステムやそのシステムの詳細な条件に対応する複数のプログラムの中から、無線端末装置に要求される最低限の試験に必要なプログラムを選択するとともに、リソース情報およびデバイス固有の処理能力に基づいて、選択したプログラムを実行させるデバイスを選択するようにしているので、リソースを有効に利用して装置規模を大きくすることなく、異なるシステムの無線端末装置の仕様に対応して試験を行うことができる。
【００５３】
また、無線リソース制御情報に基づいてプログラムを選択するようにしているので、無線端末装置に要求される以上の過剰な試験を行うことなく、効率よく無線端末装置を試験することができる。
【産業上の利用可能性】
【００５４】
以上のように、この発明にかかる無線端末試験装置は、無線端末装置の試験に有効であり、特に、異なるシステムに適用される無線端末装置を試験する場合に適している。
【図面の簡単な説明】
【００５５】
【図１】この発明における実施の形態１の無線端末試験装置の構成を示すブロック図である。
【図２】この発明における実施の形態１の無線端末試験装置のプログラム選択動作を説明するためのフローチャートである。
【図３】この発明における実施の形態２の無線端末試験装置の構成を示すブロック図である。
【図４】この発明における実施の形態２の無線端末試験装置のプログラム選択動作を説明するためのフローチャートである。
【図５】この発明における実施の形態３の無線端末試験装置の構成を示すブロック図である。
【図６】この発明における実施の形態３の無線端末試験装置のプログラム選択動作を説明するためのフローチャートである。
【符号の説明】
【００５６】
１，１ａ，１ｂ  無線端末試験装置
２  無線端末装置
３  無線ネットワーク制御装置
１１，１１ａ  伝播環境パラメータ設定部
１２，１２ａ，１２ｂ  制御部
１３  記憶部
１４  ベースバンド処理部
１５  実測データ記憶部
１４１，１４２，１４ｎ  デバイス
【図１】
2005236832.tif 000003
【図２】
2005236832.tif 000004
【図３】
2005236832.tif 000005
【図４】
2005236832.tif 000006
【図５】
2005236832.tif 000007
【図６】
2005236832.tif 000008